(57)【特許請求の範囲】
【請求項１】
基地局が２つのアンテナを使用して送信ダイバーシティモードで送信している受信信号の逆拡散を行う第１のフィンガー回路を複数具備する第１のフィンガー部と、前記第１のフィンガー回路のそれぞれにて逆拡散された受信信号の逆拡散データを、前記基地局の一方のアンテナから送信された受信信号の逆拡散データと前記基地局の他方のアンテナから送信された受信信号の逆拡散データとに区分して位相補正する第２のフィンガー回路を複数具備する第２のフィンガー部と、前記第２のフィンガー回路のそれぞれにて位相補正された受信信号の逆拡散データを合成するレイク回路と、前記第１のフィンガー回路、前記第２のフィンガー回路及び前記レイク回路に対して動作クロックを供給するＴＣＸＯと、前記第１のフィンガー回路、前記第２のフィンガー回路及び前記レイク回路の制御を行うＣＰＵとを少なくとも有してなるＣＤＭＡ受信端末において、
前記第２のフィンガー回路のそれぞれは、
前記基地局の一方のアンテナから送信された受信信号の電界レベルと前記基地局の他方のアンテナから送信された受信信号の電界レベルとをそれぞれ測定し、前記基地局の一方のアンテナから送信された受信信号と前記基地局の他方のアンテナから送信された受信信号とのそれぞれについて、受信信号の電界レベルが所定の閾値以下であれば有効性がないと判定するレベル測定回路と、
前記第１のフィンガー回路のそれぞれにて逆拡散された受信信号の逆拡散データのうち前記基地局の一方のアンテナから送信された受信信号の逆拡散データを、前記レベル測定回路にて算出されたフェージングベクトルに基づいて位相補正する第１の位相補正回路と、
前記第１のフィンガー回路のそれぞれにて逆拡散された受信信号の逆拡散データのうち前記基地局の他方のアンテナから送信された受信信号の逆拡散データを、前記レベル測定回路にて算出されたフェージングベクトルに基づいて位相補正する第２の位相補正回路と、
前記第１及び第２の位相補正回路のそれぞれにて位相補正された逆拡散データを合成するアンテナ合成回路とを有し、
前記レベル測定回路は、前記基地局の各アンテナから送信された受信信号の有効性の判定結果に基づいて制御信号を発することにより、前記第１及び第２の位相補正回路のうち有効性がないと判定したアンテナからの受信信号の逆拡散データの位相補正を行う位相補正回路に対し、前記ＴＣＸＯからの動作クロックの供給を停止することを特徴とするＣＤＭＡ受信端末。
【請求項２】
請求項１に記載のＣＤＭＡ受信端末において、
前記ＴＣＸＯから動作クロックが供給され、前記第１のフィンガー回路のそれぞれにおける動作クロックのタイミングを補正するためのタイミング制御パルス信号を発生して該第１のフィンガー回路に通知するタイミング補正回路を有し、
前記ＣＰＵは、前記基地局の一方のアンテナから送信された受信信号と前記基地局の他方のアンテナから送信された受信信号とがいずれも前記第２のフィンガー回路にて有効性がないと判定された場合、前記タイミング補正回路に対し、前記ＴＣＸＯからの動作クロックの供給を停止する制御を行うことを特徴とするＣＤＭＡ受信端末。
【請求項３】
請求項１または２に記載のＣＤＭＡ受信端末において、
前記第２のフィンガー回路のそれぞれは、
前記第１のフィンガー回路のそれぞれにて逆拡散された受信信号の逆拡散データに基づいて、前記基地局の一方のアンテナから送信された受信信号と前記基地局の他方のアンテナから送信された受信信号とのそれぞれについて、期待されるＩ，Ｑ位相点からの位相のずれを表すパラメータであるフェージングベクトルを算出する位相推定回路を有し、
前記レベル測定回路は、前記位相推定回路にて算出されたフェージングベクトルに基づいて、前記基地局の一方のアンテナから送信された受信信号の電界レベルと前記基地局の他方のアンテナから送信された受信信号の電界レベルとをそれぞれ測定することを特徴とするＣＤＭＡ受信端末。
【請求項４】
基地局が２つのアンテナを使用して送信ダイバーシティモードで送信している受信信号の逆拡散を行う第１のフィンガー回路を複数具備する第１のフィンガー部と、前記第１のフィンガー回路のそれぞれにて逆拡散された受信信号の逆拡散データを、前記基地局の一方のアンテナから送信された受信信号の逆拡散データと前記基地局の他方のアンテナから送信された受信信号の逆拡散データとに区分して位相補正する第２のフィンガー回路を複数具備する第２のフィンガー部と、前記第２のフィンガー回路のそれぞれにて位相補正された受信信号の逆拡散データを合成するレイク回路と、前記第１のフィンガー回路のそれぞれにおける動作クロックのタイミングを補正するためのタイミング制御パルス信号を発生して該第１のフィンガー回路に通知するタイミング補正回路と、前記第１のフィンガー回路、前記第２のフィンガー回路、前記レイク回路及び前記タイミング補正回路に対して前記動作クロックを供給するＴＣＸＯと、前記第１のフィンガー回路、前記第２のフィンガー回路、前記レイク回路及び前記タイミング補正回路の制御を行うＣＰＵとを少なくとも有するＣＤＭＡ受信端末における消費電力低減方法であって、
前記基地局の一方のアンテナから送信された受信信号の電界レベルと前記基地局の他方のアンテナから送信された受信信号の電界レベルとをそれぞれ測定するステップと、
前記基地局の一方のアンテナから送信された受信信号と前記基地局の他方のアンテナから送信された受信信号とのそれぞれについて、受信信号の電界レベルが所定の閾値以下であれば有効性がないと判定するステップと、
前記第１のフィンガー回路のそれぞれにて逆拡散された受信信号の逆拡散データのうち前記基地局の一方のアンテナから送信された受信信号の逆拡散データを、前記レベル測定回路にて算出されたフェージングベクトルに基づいて位相補正する第１の位相補正ステップと、
前記第１のフィンガー回路のそれぞれにて逆拡散された受信信号の逆拡散データのうち前記基地局の他方のアンテナから送信された受信信号の逆拡散データを、前記レベル測定回路にて算出されたフェージングベクトルに基づいて位相補正する第２の位相補正ステップと、
前記第１及び第２の位相補正ステップのそれぞれにて位相補正された逆拡散データを合成するアンテナ合成ステップとを有し、
前記第２のフィンガー回路内に設けられた回路のうち有効性がないと判定したアンテナからの受信信号の逆拡散データの位相補正を行う回路に対し、前記ＴＣＸＯからの動作クロックの供給を停止することを特徴とするＣＤＭＡ受信端末における消費電力低減方法。
【請求項５】
請求項４に記載のＣＤＭＡ受信端末における消費電力低減方法において、
前記基地局の一方のアンテナから送信された受信信号と前記基地局の他方のアンテナから送信された受信信号とがいずれも有効性がないと判定した場合、前記タイミング補正回路に対し、前記ＴＣＸＯからの動作クロックの供給を停止することを特徴とするＣＤＭＡ受信端末における消費電力低減方法。
【発明の詳細な説明】
【０００１】
【発明の属する技術分野】
本発明は、ＣＤＭＡ通信システムに用いられるＣＤＭＡ受信端末及び該ＣＤＭＡ受信端末における消費電力低減方法に関し、特に、基地局が２つのアンテナを使用して送信ダイバーシティモードで送信している受信信号を受信するＣＤＭＡ受信端末及び該ＣＤＭＡ受信端末における消費電力低減方法に関する。
【０００２】
【従来の技術】
ＣＤＭＡ通信システムにおいては、基地局から受信端末に対して受信信号を送信する方法として、図５に示すように、基地局１が２本のアンテナＡＮＴ１，ＡＮＴ２を用いて受信端末２に対して受信信号Ａ，Ｂを送信する方法（以下、送信ダイバーシティーモードと称する）がある。
【０００３】
受信端末２においては、基地局１の各アンテナＡＮＴ１，ＡＮＴ２から送信された受信信号が、フィンガー部（逆拡散部）にて逆拡散され、フィンガー部（位相補正部）にて位相補正された後、レイク回路にて合成される。なお、フィンガー部（逆拡散部）及びフィンガー部（位相補正部）は、それぞれ複数のフィンガー回路から構成されており、各フィンガー回路にて所定の動作クロックで上記動作が行われているが、フィンガー部（逆拡散部）内の各フィンガー回路では、タイミング補正回路から通知されるタイミング制御パルス信号により、上記動作クロックのタイミングが補正されている。
【０００４】
ここで、従来のＣＤＭＡ受信端末に用いられるフィンガー部（位相補正部）内に設けられた各フィンガー回路について説明する。
【０００５】
図６は、従来のＣＤＭＡ受信端末に用いられるフィンガー部（位相補正部）内に設けられた各フィンガー回路の一構成例を示す図である。
【０００６】
図６に示すように本構成例は、位相推定回路１７と、位相補正回路（ＡＮＴ１）１８及び位相補正回路（ＡＮＴ２）１９と、アンテナ合成回路２０とから構成されている。なお、各構成要素においては、ＴＣＸＯ１６から供給される動作クロックで動作が行われる。
【０００７】
位相推定回路１７は、期待される既知のデータのＩ，Ｑ位相点とフィンガー部（逆拡散部）にて逆拡散された逆拡散データとの位相差に基づいて、基地局１（図５参照）のアンテナＡＮＴ１，ＡＮＴ２からの受信信号の位相補正量を推定する。また、位相補正回路１８，１９に対しては、フィンガー部（逆拡散部）にて逆拡散された逆拡散データを通知する。
【０００８】
位相補正回路１８は、位相推定回路１７から通知された逆拡散データのうち基地局１のアンテナＡＮＴ１からの受信信号の逆拡散データを、位相推定回路１７にて推定された位相補正量分だけ位相補正し、また、位相補正回路１９は、位相推定回路１７から通知された逆拡散データのうち基地局１のアンテナＡＮＴ２からの受信信号の逆拡散データを、位相推定回路１７にて推定された位相補正量分だけ位相補正する。また、各位相補正回路１８，１９は、アンテナ合成回路２０に対しては、位相補正した逆拡散データを通知する。
【０００９】
アンテナ合成回路２０は、各位相補正回路１８，１９から通知された位相補正された逆拡散データのアンテナ合成を行う。
【００１０】
上記のように構成された本従来例におけるフィンガー部（位相推定部）においては、位相推定回路１７において、基地局１の各アンテナＡＮＴ１，ＡＮＴ２からの受信信号の位相補正量が推定され、位相補正回路１８，１９において、各アンテナＡＮＴ１，ＡＮＴ２からの受信信号の位相補正が位相推定回路１７にて推定された位相補正量分だけ行われた後、アンテナ合成回路２０において、各アンテナＡＮＴ１，ＡＮＴ２からの受信信号のアンテナ合成が行われる。
【００１１】
【発明が解決しようとする課題】
しかしながら、上述したような従来のＣＤＭＡ受信端末においては、基地局１の各アンテナＡＮＴ１，ＡＮＴ２から送信された受信信号の有効性に関わらず、フィンガー部（位相補正部）及びタイミング補正回路が動作しているため、このことが消費電力を増大させる一因となってしまうという問題点がある。
【００１２】
本発明は上述したような従来の技術が有する問題点に鑑みてなされたものであって、基地局が受信信号を送信している際の消費電力の低減を図ることができるＣＤＭＡ受信端末及びＣＤＭＡ受信端末における消費電力低減方法を提供することを目的とする。
【００１３】
【課題を解決するための手段】
上記目的を達成するために本発明は、基地局が２つのアンテナを使用して送信ダイバーシティモードで送信している受信信号の逆拡散を行う第１のフィンガー回路を複数具備する第１のフィンガー部と、前記第１のフィンガー回路のそれぞれにて逆拡散された受信信号の逆拡散データを、前記基地局の一方のアンテナから送信された受信信号の逆拡散データと前記基地局の他方のアンテナから送信された受信信号の逆拡散データとに区分して位相補正する第２のフィンガー回路を複数具備する第２のフィンガー部と、前記第２のフィンガー回路のそれぞれにて位相補正された受信信号の逆拡散データを合成するレイク回路と、前記第１のフィンガー回路、前記第２のフィンガー回路及び前記レイク回路に対して動作クロックを供給するＴＣＸＯと、前記第１のフィンガー回路、前記第２のフィンガー回路及び前記レイク回路の制御を行うＣＰＵとを少なくとも有してなるＣＤＭＡ受信端末において、
前記第２のフィンガー回路のそれぞれは、
前記基地局の一方のアンテナから送信された受信信号の電界レベルと前記基地局の他方のアンテナから送信された受信信号の電界レベルとをそれぞれ測定し、前記基地局の一方のアンテナから送信された受信信号と前記基地局の他方のアンテナから送信された受信信号とのそれぞれについて、受信信号の電界レベルが所定の閾値以下であれば有効性がないと判定するレベル測定回路と、
前記第１のフィンガー回路のそれぞれにて逆拡散された受信信号の逆拡散データのうち前記基地局の一方のアンテナから送信された受信信号の逆拡散データを、前記レベル測定回路にて算出されたフェージングベクトルに基づいて位相補正する第１の位相補正回路と、
前記第１のフィンガー回路のそれぞれにて逆拡散された受信信号の逆拡散データのうち前記基地局の他方のアンテナから送信された受信信号の逆拡散データを、前記レベル測定回路にて算出されたフェージングベクトルに基づいて位相補正する第２の位相補正回路と、
前記第１及び第２の位相補正回路のそれぞれにて位相補正された逆拡散データを合成するアンテナ合成回路とを有し、
前記レベル測定回路は、前記基地局の各アンテナから送信された受信信号の有効性の判定結果に基づいて制御信号を発することにより、前記第１及び第２の位相補正回路のうち有効性がないと判定したアンテナからの受信信号の逆拡散データの位相補正を行う位相補正回路に対し、前記ＴＣＸＯからの動作クロックの供給を停止することを特徴とする。
【００１５】
また、前記ＴＣＸＯから動作クロックが供給され、前記第１のフィンガー回路のそれぞれにおける動作クロックのタイミングを補正するためのタイミング制御パルス信号を発生して該第１のフィンガー回路に通知するタイミング補正回路を有し、
前記ＣＰＵは、前記基地局の一方のアンテナから送信された受信信号と前記基地局の他方のアンテナから送信された受信信号とがいずれも前記第２のフィンガー回路にて有効性がないと判定された場合、前記タイミング補正回路に対し、前記ＴＣＸＯからの動作クロックの供給を停止する制御を行うことを特徴とする。
【００１６】
また、前記第２のフィンガー回路のそれぞれは、
前記第１のフィンガー回路のそれぞれにて逆拡散された受信信号の逆拡散データに基づいて、前記基地局の一方のアンテナから送信された受信信号と前記基地局の他方のアンテナから送信された受信信号とのそれぞれについて、期待されるＩ，Ｑ位相点からの位相のずれを表すパラメータであるフェージングベクトルを算出する位相推定回路を有し、
前記レベル測定回路は、前記位相推定回路にて算出されたフェージングベクトルに基づいて、前記基地局の一方のアンテナから送信された受信信号の電界レベルと前記基地局の他方のアンテナから送信された受信信号の電界レベルとをそれぞれ測定することを特徴とする。
【００１７】
また、基地局が２つのアンテナを使用して送信ダイバーシティモードで送信している受信信号の逆拡散を行う第１のフィンガー回路を複数具備する第１のフィンガー部と、前記第１のフィンガー回路のそれぞれにて逆拡散された受信信号の逆拡散データを、前記基地局の一方のアンテナから送信された受信信号の逆拡散データと前記基地局の他方のアンテナから送信された受信信号の逆拡散データとに区分して位相補正する第２のフィンガー回路を複数具備する第２のフィンガー部と、前記第２のフィンガー回路のそれぞれにて位相補正された受信信号の逆拡散データを合成するレイク回路と、前記第１のフィンガー回路のそれぞれにおける動作クロックのタイミングを補正するためのタイミング制御パルス信号を発生して該第１のフィンガー回路に通知するタイミング補正回路と、前記第１のフィンガー回路、前記第２のフィンガー回路、前記レイク回路及び前記タイミング補正回路に対して前記動作クロックを供給するＴＣＸＯと、前記第１のフィンガー回路、前記第２のフィンガー回路、前記レイク回路及び前記タイミング補正回路の制御を行うＣＰＵとを少なくとも有するＣＤＭＡ受信端末における消費電力低減方法であって、
前記基地局の一方のアンテナから送信された受信信号の電界レベルと前記基地局の他方のアンテナから送信された受信信号の電界レベルとをそれぞれ測定するステップと、
前記基地局の一方のアンテナから送信された受信信号と前記基地局の他方のアンテナから送信された受信信号とのそれぞれについて、受信信号の電界レベルが所定の閾値以下であれば有効性がないと判定するステップと、
前記第１のフィンガー回路のそれぞれにて逆拡散された受信信号の逆拡散データのうち前記基地局の一方のアンテナから送信された受信信号の逆拡散データを、前記レベル測定回路にて算出されたフェージングベクトルに基づいて位相補正する第１の位相補正ステップと、
前記第１のフィンガー回路のそれぞれにて逆拡散された受信信号の逆拡散データのうち前記基地局の他方のアンテナから送信された受信信号の逆拡散データを、前記レベル測定回路にて算出されたフェージングベクトルに基づいて位相補正する第２の位相補正ステップと、
前記第１及び第２の位相補正ステップのそれぞれにて位相補正された逆拡散データを合成するアンテナ合成ステップとを有し、
前記第２のフィンガー回路内に設けられた回路のうち有効性がないと判定したアンテナからの受信信号の逆拡散データの位相補正を行う回路に対し、前記ＴＣＸＯからの動作クロックの供給を停止することを特徴とする。
【００１８】
また、前記基地局の一方のアンテナから送信された受信信号と前記基地局の他方のアンテナから送信された受信信号とがいずれも有効性がないと判定した場合、前記タイミング補正回路に対し、前記ＴＣＸＯからの動作クロックの供給を停止することを特徴とする。
【００１９】
（作用）
上記のように構成された本発明においては、基地局が２つのアンテナを使用して送信ダイバーシティモードで受信信号を送信している際に、第２のフィンガー回路において、基地局の一方のアンテナから送信された受信信号の有効性と基地局の他方のアンテナから送信された受信信号の有効性とをそれぞれ判定し、当該第２のフィンガー回路内に設けられた回路のうち有効性がないと判定したアンテナからの受信信号の位相補正を行う回路に対し、ＴＣＸＯからの動作クロックの供給を停止する。
【００２０】
これにより、基地局が受信信号を送信している際には、第２のフィンガー回路内の該当する回路の動作が停止するため、消費電力の低減が図れる。
【００２１】
【発明の実施の形態】
以下に、本発明の実施の形態について図面を参照して説明する。
【００２２】
図１は、本発明のＣＤＭＡ受信端末の実施の一形態を示す図である。なお、以下の記載では、図１に示したＣＤＭＡ受信端末が、図５に示すように基地局１の２本のアンテナＡＮＴ１，ＡＮＴ２から送信ダイバーシティモードで送信されてきた受信信号を受信する受信端末であるものとして説明する。
【００２３】
図１に示すように本実施形態は、無線回路３と、第１のフィンガー部であるフィンガー部（逆拡散部）４と、第２のフィンガー部であるフィンガー部（位相補正部）５と、レイク回路６と、タイミング補正回路７と、ＴＣＸＯ８と、ＣＰＵ９と、Ｅ２ＰＲＯＭ１０とから構成されている。
【００２４】
ＴＣＸＯ８は、無線回路３、フィンガー部（逆拡散部）４、フィンガー部（位相補正部）５、レイク回路６及びタイミング補正回路７に対して動作クロックを供給し、これらの各構成要素においては、ＴＣＸＯ８から供給される動作クロックで所定の動作が行われる。
【００２５】
無線回路３は、基地局１のアンテナＡＮＴ１，ＡＮＴ２から送信ダイバーシティモードで送信されてきた受信信号をフィンガー部（逆拡散部）４に対して出力する。
【００２６】
タイミング補正回路７は、フィンガー部（逆拡散部）４における動作タイミングを補正するためのタイミング制御パルス信号をフィンガー部（逆拡散部）４に対して通知する。
【００２７】
フィンガー部（逆拡散部）４は、タイミング補正回路７から通知されるタイミング制御パルス信号をトリガーにして、無線回路３から出力された受信信号を取り込み、取り込んだ受信信号を逆拡散してシンボル単位の逆拡散データに復調し、この逆拡散データをフィンガー部（位相補正部）５に対して出力する。
【００２８】
フィンガー部（位相補正部）５は、フィンガー部（逆拡散部）４から出力された逆拡散データを、基地局１のアンテナＡＮＴ１からの受信信号の逆拡散データと基地局１のアンテナＡＮＴ２からの受信信号の逆拡散データとに区分して位相補正するとともに、基地局１のアンテナＡＮＴ１からの受信信号の電界レベルと基地局１のアンテナＡＮＴ２からの受信信号の電界レベルとをそれぞれ測定し、測定した電界レベルが所定の閾値を下回る場合は、該当するアンテナからの受信信号には有効性がないと判定し、当該フィンガー部（位相補正部）５内の回路のうち該当するアンテナからの受信信号の位相補正を行う回路への動作クロックを断する。
【００２９】
図２は、図１に示したＣＤＭＡ受信端末の構成を詳細に説明するための図である。なお、図２においては、図１に示したＣＤＭＡ受信端末に対して、ＴＣＸＯ８、ＣＰＵ９及びＥ２ＰＲＯＭ１０が省略されている。
【００３０】
図２に示すように、実際には、フィンガー部（逆拡散部）４は、第１のフィンガー回路であるフィンガー回路４−１〜４−Ｎを複数具備し、また、フィンガー部（位相補正部）５は、第２のフィンガー回路であるフィンガー回路５−１〜５−Ｎを複数具備しており、上記動作が各フィンガー回路４−１〜４−Ｎ及び各フィンガー回路５−１〜５−Ｎにて行われる。また、各フィンガー回路４−１〜４−Ｎでは、タイミング補正回路７から通知されるタイミング制御パルス信号をトリガーにして、それぞれ異なるタイミングで上記動作が行われる。
【００３１】
レイク回路６は、フィンガー部（位相補正部）５内の各フィンガー回路５−１〜５−Ｎにて位相補正された逆拡散データを合成する。
【００３２】
Ｅ２ＰＲＯＭ１０は、フィンガー部（位相補正部）５にて用いられる所定の閾値を含む既知の各種データを格納する。
【００３３】
ＣＰＵ９は、無線回路３、フィンガー部（逆拡散部）４内の各フィンガー回路４−１〜４−Ｎ、フィンガー部（位相補正部）５内の各フィンガー回路５−１〜５−Ｎ及びレイク回路６の制御を行うとともに、Ｅ２ＰＲＯＭ１０から各種データの取り込みを行う。
【００３４】
図３は、図２に示したフィンガー部（位相補正部）５内に設けられた各フィンガー回路５−１〜５−Ｎの一構成例を示す図である。
【００３５】
図３に示すように本構成例は、位相推定回路１１と、レベル測定回路１２と、第１及び第２の位相補正回路である位相補正回路（ＡＮＴ１）１３及び位相補正回路（ＡＮＴ２）１４と、アンテナ合成回路１５とから構成されている。なお、各構成要素においては、ＴＣＸＯ８から供給される動作クロックで動作が行われる。
【００３６】
位相推定回路１１は、期待される既知のデータのＩ，Ｑ位相点とフィンガー部（逆拡散部）４内の各フィンガー回路４−１〜４−Ｎから出力された逆拡散データとの位相差を求め、基地局１の各アンテナＡＮＴ１，ＡＮＴ２から送信された受信信号の位相を何度補正するかを推定する。
【００３７】
具体的には、フィンガー部（逆拡散部）４内のフィンガー回路４−１〜４−Ｎから出力された逆拡散データに基づいて、基地局１の各アンテナＡＮＴ１，ＡＮＴ２からの受信信号のフェージングベクトル（逆拡散データが、期待するＩ，Ｑ位相点からどの程度位相がずれているかを表すパラメータ）を算出し、算出したフェージングベクトルをレベル測定回路１２に対して通知する。また、レベル測定回路１２に対しては、フィンガー回路４−１〜４−Ｎから出力された逆拡散データも通知する。
【００３８】
レベル測定回路１２は、位相推定回路１１から通知されたフェージングベクトルに基づいて、基地局１のアンテナＡＮＴ１からの受信信号の電界レベルと基地局１のアンテナＡＮＴ２からの受信信号の電界レベルとをそれぞれ測定し、測定した電界レベルを所定の閾値と比較することにより、アンテナＡＮＴ１からの受信信号の有効性とアンテナＡＮＴ２からの受信信号の有効性とをそれぞれ判定する。更に、この判定結果に基づいて各位相補正回路１３，１４とＴＣＸＯ８との間に配置されたスイッチに対して制御信号を通知する。また、各位相補正回路１３，１４に対しては、位相推定回路１１から通知された逆拡散データ及びフェージングベクトルを通知する。
【００３９】
なお、レベル測定回路１２では、各アンテナＡＮＴ１，ＡＮＴ２からの受信信号の有効性の判定は一定時間間隔で行われ、例えば、ＣＤＭＡ通信システムでは１フレーム間隔（１０ｍｓ）等、システム上都合の良い時間間隔で行われるものとする。
【００４０】
位相補正回路１３は、レベル測定回路１２から通知された逆拡散データのうち基地局１のアンテナＡＮＴ１からの受信信号の逆拡散データを、レベル測定回路１２から通知されたフェージングベクトルに基づいて位相補正し、また、位相補正回路１４は、レベル測定回路１２から通知された逆拡散データのうち基地局１のアンテナＡＮＴ２からの受信信号の逆拡散データを、レベル測定回路１２から通知されたフェージングベクトルに基づいて位相補正する。
【００４１】
また、各位相補正回路１３，１４は、レベル測定回路１２から通知される制御信号に応じてオン／オフするスイッチを介してＴＣＸＯ８と接続されており、このスイッチがオンしてＴＣＸＯ８から動作クロックが供給されている場合にのみ、該当するアンテナからの受信信号の逆拡散データの位相補正を行う。また、アンテナ合成回路１５に対しては、位相補正した逆拡散データを通知する。
【００４２】
アンテナ合成回路１５は、各位相補正回路１３，１４から通知された位相補正後の逆拡散データのアンテナ合成を行い、アンテナ合成した逆拡散データをレイク回路６に対して出力する。
【００４３】
以下に、上記のように構成されたＣＤＭＡ受信端末における消費電力低減方法について図１〜図４を参照して説明する。
【００４４】
図４は、図１及び図２に示したＣＤＭＡ受信端末における消費電力低減方法を説明するためのフローチャートである。
【００４５】
フィンガー部（逆拡散部）４内に設けられた各フィンガー回路４−１〜４−Ｎにおいては、無線回路３から出力された受信信号が逆拡散されてシンボル単位の逆拡散データに復調され、この逆拡散データがフィンガー部（位相補正部）５内に設けられた各フィンガー回路５−１〜５−Ｎに対して出力される（ステップＡ１）。このとき、各フィンガー回路４−１〜４−Ｎにおいては、タイミング補正回路７から出力されるタイミング制御パルス信号をトリガーにして、それぞれ異なったタイミングで逆拡散が行われる。
【００４６】
各フィンガー回路５−１〜５−Ｎにおいては、位相推定回路１１において、フィンガー部（逆拡散部）４内の各フィンガー回路４−１〜４−Ｎから出力された逆拡散データに基づいて、基地局１の各アンテナＡＮＴ１，ＡＮＴ２からの受信信号のフェージングベクトルが算出され、算出されたフェージングベクトルとフィンガー回路４−１〜４−Ｎから出力された逆拡散データとが、レベル測定回路１２に対して通知される（ステップＡ２）。
【００４７】
次に、レベル測定回路１２において、位相推定回路１１から通知されたフェージングベクトルに基づいて、基地局１のアンテナＡＮＴ１からの受信信号の電界レベルと基地局１のアンテナＡＮＴ２からの受信信号の電界レベルとがそれぞれ測定されるとともに（ステップＡ３）、位相推定回路１１から通知されたフェージングベクトル及び逆拡散データが各位相補正回路１３，１４に対して通知される。
【００４８】
更に、レベル測定回路１２においては、まず、基地局１のアンテナＡＴＮ１からの受信信号の電界レベルと所定の閾値とが比較され（ステップＡ４）、アンテナＡＴＮ１からの受信信号の有効性が判定される。なお、ここで用いられる閾値は、ＣＰＵ９により、Ｅ２ＰＲＯＭ１０から取り出されて各フィンガー回路５−１〜５−Ｎ内のレベル測定回路１２に通知されたものである。
【００４９】
ステップＡ４にて電界レベルが閾値を下回る場合は、レベル測定回路１２において、アンテナＡＴＮ１からの受信信号には有効性がないと判定され、位相補正回路１３とＴＣＸＯ８との間に配置されたスイッチをオフするための制御信号が該スイッチに通知され、これにより、位相補正回路１３への動作クロックの供給が停止される（ステップＡ６）。
【００５０】
一方、ステップＡ４にて電界レベルが閾値を上回る場合は、レベル測定回路１２において、アンテナＡＴＮ１からの受信信号には有効性があると判定され、位相補正回路１３とＴＣＸＯ８との間に配置されたスイッチを継続してオンするための制御信号が該スイッチに通知される。このため、位相補正回路１３においては、レベル測定回路１２から通知されたフェージングベクトルに基づいて、レベル測定回路１２から通知された逆拡散データのうちアンテナＡＴＮ１からの受信信号の逆拡散データの位相補正が行われる（ステップＡ５）。
【００５１】
続いて、上述したステップＡ４〜Ａ６までの処理と同様に、基地局１のアンテナＡＴＮ２からの受信信号の電界レベルと所定の閾値とが比較され（ステップＡ７）、アンテナＡＴＮ２からの受信信号の有効性がないと判定された場合は、位相補正回路１４への動作クロックの供給が停止され（ステップＡ９）、アンテナＡＴＮ２からの受信信号の有効性があると判定された場合は、位相補正回路１４にてアンテナＡＴＮ２からの受信信号の逆拡散データの位相補正が行われる（ステップＡ８）。
【００５２】
次に、アンテナ合成回路１５において、各位相補正回路１３，１４にて位相補正された逆拡散データのアンテナ合成が行われる（ステップＡ１０）。
【００５３】
その後、レイク回路６において、各フィンガー回路５−１〜５−Ｎ内のアンテナ合成部１５にてアンテナ合成が行われた逆拡散データの合成が行われる（ステップＡ１１）。
【００５４】
上述したように本発明においては、基地局１が２つのアンテナＡＮＴ１，ＡＮＴ２を使用して送信ダイバーシティモードで受信信号を送信している際に、レベル測定回路１２において、各アンテナＡＮＴ１，ＡＮＴ２からの受信信号の電界レベルの強弱を判定し、その電界レベルが閾値以下である場合には、位相補正回路１３，１４のうち該当するアンテナからの受信信号の位相補正を行っている位相補正回路への動作クロックの供給を断するための制御信号を発している。
【００５５】
これにより、該当する位相補正回路の動作を停止させることができるため、消費電力の低減を図ることができる。
【００５６】
また、本発明においては、レベル測定回路１２において、基地局１の各アンテナＡＮＴ１，ＡＮＴ２からの受信信号の電界レベルを閾値と比較した結果、アンテナＡＮＴ１，ＡＮＴ２からの受信信号ともに有効性が認められない場合には、該当する位相補正回路１３，１４への動作クロックの供給を停止するだけでなく、ＣＰＵ９における制御によって、タイミング補正回路７への動作クロックの供給も停止することもできる。
【００５７】
図２を参照すると、フィンガー部（逆拡散部）４内のフィンガー回路４−１〜４−Ｎは、それぞれタイミング補正回路７から通知されるタイミング制御パルス信号をトリガーにして動作が行われているが、基地局１のアンテナＡＮＴ１，ＡＮＴ２からの受信信号ともに有効性が認められなかった場合、該当するフィンガー回路４−１〜４−Ｎに割り当てられたタイミング制御パルス信号は、そのフィンガー回路で逆拡散を行うための正規のタイミングを通知するものではないと見なすことができる。
【００５８】
従って、この場合には、該当する位相補正回路への動作クロックの供給を停止するだけでなく、タイミング補正回路７への動作クロックの供給を一定時間停止することで、該当する位相補正回路及びタイミング補正回路７の動作を停止させることができるため、消費電力の更なる低減を図ることができる。
【００５９】
【発明の効果】
以上説明したように本発明においては、基地局が２つのアンテナを使用して送信ダイバーシティモードで受信信号を送信している際に、第２のフィンガー回路において、基地局の一方のアンテナから送信された受信信号の有効性と基地局の他方のアンテナから送信された受信信号の有効性とをそれぞれ判定し、当該第２のフィンガー回路内に設けられた回路のうち有効性がないと判定したアンテナからの受信信号の位相補正を行う回路に対し、ＴＣＸＯからの動作クロックの供給を停止するような構成としたため、基地局が受信信号を送信している際の消費電力の低減を図ることができる。
【００６０】
また、基地局の一方のアンテナから送信された受信信号と基地局の他方のアンテナから送信された受信信号とがいずれも第２のフィンガー回路にて有効性がないと判定された際に、第２のフィンガー回路内の該当する回路だけでなく、タイミング補正回路への動作クロックの供給も停止する場合においては、基地局が受信信号を送信している際の消費電力の更なる低減を図ることができる。
【図面の簡単な説明】
【図１】本発明のＣＤＭＡ受信端末の実施の一形態を示す図である。
【図２】図１に示したＣＤＭＡ受信端末の構成を詳細に説明するための図である。
【図３】図２に示したフィンガー部（位相補正部）内に設けられた各フィンガー回路の一構成例を示す図である。
【図４】図１及び図２に示したＣＤＭＡ受信端末における消費電力低減方法を説明するためのフローチャートである。
【図５】基地局から受信端末に対して送信ダイバーシティーモードで受信信号を送信するＣＤＭＡ通信システムの一例を示す図である。
【図６】従来のＣＤＭＡ受信端末に用いられるフィンガー部（位相補正部）内に設けられた各フィンガー回路の一構成例を示す図である。
【符号の説明】
１    基地局
２    受信端末
３    無線回路
４    フィンガー部（逆拡散部）
４−１〜４−Ｎ    フィンガー回路
５    フィンガー部（位相補正部）
５−１〜５−Ｎ    フィンガー回路
６    レイク回路
７    タイミング補正回路
８    ＴＣＸＯ
９    ＣＰＵ
１０    Ｅ２ＰＲＯＭ
ＡＮＴ１，ＡＮＴ２    アンテナ
【図１】
0004016241.tif 000002
【図２】
0004016241.tif 000003
【図３】
0004016241.tif 000004
【図４】
0004016241.tif 000005
【図５】
0004016241.tif 000006
【図６】
0004016241.tif 000007